(57)【要約】【課題】空調装置本体を見ることで運転状態を容易に確認できる空調装置を提供すること。【解決手段】リモコン８，１２１により、空調装置本体７の制御回路２５に操作信号を入力して、前記空調装置本体７を運転操作するようにしている。しかも、前記空調装置本体７の外表面に運転状態表示部（１９，２６）を設けて、前記制御回路２５により、前記制御回路２５により前記空調装置本体７の運転モードなどの運転状態や誤動作を前記運転状態表示部（１９，２６）に表示させるようにしている。【選択図】  図６
2006153337.tif 000002
【特許請求の範囲】
【請求項１】
リモコンにより、空調装置本体の制御回路に操作信号を入力して、前記空調装置本体を運転操作するようにした空調装置において、
前記空調装置本体の外表面に運転状態表示部を設けて、前記制御回路により前記空調装置本体の運転モードなどの運転状態や誤動作を前記運転状態表示部に表示させることを特徴とする空調装置。
【請求項２】
前記運転状態表示部は発光して表示する発光表示部からなり、該発光表示部は前記制御回路により複数の発光表示形態で発光制御可能に設けられ、且つ前記制御回路は前記空調装置本体の複数の運転モード、誤動作状態に応じて前記発光表示部を異ならせて発光表示させるようにしたことを特徴とする請求項１に記載の空調装置。
【請求項３】
前記空調装置本体は室内の空気を換気する換気手段、室内の空気を循環させる循環手段の少なくともいずれかを有し、前記リモコンは充電手段を有する二次電池を内蔵していることを特徴とする請求項１又は２に記載の空調装置。
【発明の詳細な説明】
【技術分野】
【０００１】
この発明は、動作状態を確認可能な空調装置に関するものである。
【背景技術】
【０００２】
従来、例えば浴室乾燥暖房機や洗面所暖房機等の空調装置においては、空調装置本体を浴室や洗面所の高所に設置すると共に、空調装置本体をワイヤレスのリモコン或いは壁等に取り付けた有線のリモコンにより操作するようにしている（例えば、特許文献１参照）。
【特許文献１】特開２００３−１７２５２４号公報
【発明の開示】
【発明が解決しようとする課題】
【０００３】
このようにリモコンにより操作するようにした空調装置では、リモコンからの信号を受け取って運転を開始し又は停止したことを示すＬＥＤを空調装置本体に設けているものも知られている。
【０００４】
しかし、空調装置本体のＬＥＤを見ただけでは、どのモードで空調装置本体が運転しているのか分からないものであった。また、空調装置本体が誤動作してエラーモードとなった場合でも、その状態が空調装置本体を見ても分からなかった。
【０００５】
そこで、この発明は、空調装置本体を見ることで運転状態を容易に確認できる空調装置を提供することを目的とするものである。
【課題を解決するための手段】
【０００６】
この目的を達成するため、請求項１の発明は、リモコンにより、空調装置本体の制御回路に操作信号を入力して、前記空調装置本体を運転操作するようにした空調装置において、前記空調装置本体の外表面に運転状態表示部を設けて、前記制御回路により前記空調装置本体の運転モードなどの運転状態や誤動作を前記運転状態表示部に表示させるようにした空調装置としたことを特徴とする。
【０００７】
また、請求項２の発明は、前記運転状態表示部は発光して表示する発光表示部からなり、該発光表示部は前記制御回路により複数の発光表示形態で発光制御可能に設けられ、且つ前記制御回路は前記空調装置本体の複数の運転モード、誤動作状態に応じて前記発光表示部を異ならせて発光表示させるようにしたことを特徴とする。
【０００８】
更に、請求項３の発明は、前記空調装置本体は室内の空気を換気する換気手段、室内の空気を循環させる循環手段の少なくともいずれかを有し、前記リモコンは充電手段を有する二次電池を内蔵していることを特徴とする。
【発明の効果】
【０００９】
請求項１に記載の発明によれば、空調装置本体の運転状態表示部を見ることで空調装置本体の運転状態を容易に確認できる。しかも、発光表示部は誤動作の表示も兼用しているので、空調装置本体の運転モードや誤動作によるエラー発生の表示のための部品点数を少なくできる。
【００１０】
また、請求項２の発明によれば、空調装置本体の発光表示部の発光状態を見ることで運転状態や誤動作を容易に確認できると共に、空調装置本体の運転モードや誤動作によるエラー発生の表示のための部品点数を少なくできる他に、簡単な構成で空調装置本体の運転状態や誤動作を報知できる。
【００１１】
更に、請求項３の発明によれば、空調装置本体の運転状態表示部を見ることで空調装置本体の運転状態を容易に確認できると共に、空調装置本体の運転モードや誤動作によるエラー発生の表示のための部品点数を少なくできる他に、電池の交換が必要なく、使用者がいつでも利用できる使い勝手の良いリモコンを用いた空調装置を提供することができる。
【発明を実施するための最良の形態】
【００１２】
以下、この発明の実施の形態を図面に基づいて説明する。
【００１３】
図１において、１は住宅等の建物、２は建物１内の居室、３は建物１内の浴室、４は浴室３内に設けられた浴槽、５は浴室４の壁部、６は浴室換気乾燥暖房機（空調装置）である。
【００１４】
この浴室換気乾燥暖房機６は、壁部５に装着された空調装置本体７と、空調装置本体７の操作をするワイヤレスのリモコン８を有する。
【００１５】
この空調装置本体７は、図２に示したように、壁部５に取り付けられた本体ケース９を有する。この本体ケース９には、内部に形成された循環風路１０と、正面（外表面）９ａに開口する循環風路１０の吸込口１０ａ及び吹出口１０ｂ（図５参照）と、この循環風路１０の途中に連通し且つ屋外に開口する換気風路１１を有する。
【００１６】
また、空調装置本体７は、浴室３内の空気を吸込口１０ａから吸い込ませる吸込ブロワ１２と、吹出口１０ｂ内に設けられたセラミックヒータ（ヒータ、加熱手段）１３と、セラミックヒータ１３の温度を検出するサーミスタ（温度センサ、温度検出手段）１４を有する。吸込ブロワ１２は、ファン１２ａと、ファン１２ａを回転駆動するファンモータ１２ｂと、ファンモータ１２ｂの回転を検出する回転センサ（回転検知器）１２ｃを有する。
【００１７】
更に、空調装置本体７は、循環風路１０と換気風路１１の分岐部において本体ケース９に回動可能に取り付けられたダンパー１５を有する。１５ａはダンパー１５の回動軸である。このダンパー１５は、パルスモータ等の駆動モータ（電動駆動手段）１６の出力軸１６ａに図示しないカム機構を介して連動している。この駆動モータ１６は、一方向に回転駆動されるようになっている。
【００１８】
また、カム機構は、駆動モータ１６の出力軸が１回転する毎に、ダンパー１５が図２の実線の位置（換気風路１１の循環風路１０への開口端を閉成する位置）と破線の位置（換気風路１１を開口し且つ循環風路１０の途中を遮断する位置）との間を往復回動するように、駆動モータ１６とダンパー１５を連動させるようになっている。
【００１９】
しかも、駆動モータ１６の出力軸１６ａには図４に示したように円板１７が設けられ、円板１７にはマグネット１８が取り付けられている。一方、円板１７の板面に隣接してホール素子１８ａが配設されている。このホール素子１８ａは、ダンパー１５が換気風路１１の循環風路１０への開口端を閉成しているとき、マグネット１８に対向するようになっている。
【００２０】
このホール素子１８ａは、図示を省略したブラケットにより本体ケース９に取り付けられている。そして、マグネット１８がホール素子１８ａに対向したときにダンパー１５が破線の位置（換気風路１１を開口し且つ循環風路１０の途中を遮断する位置）に位置するように設定されている。
【００２１】
また、本体ケース９の正面（外表面）９ａには、図５に示したように運転状態表示部１９が発光表示部として設けられている。
【００２２】
この運転状態表示部１９には、乾燥運転モードのときに点灯させる乾燥運転表示用発光体（発光手段）２０、涼風運転モードのときに点灯させる涼風運転表示用発光体（発光手段）２１、暖房運転モードのときに点灯させる暖房運転表示用発光体（発光手段）２２、換気運転モードのときに点灯させる換気運転表示用発光体（発光手段）２３が設けられている。この表示発光体２０〜２３にはＬＥＤ等が用いられている。
【００２３】
また、本体ケース９の正面（外表面）９ａには、図５に示したようにリモコン８からの赤外光を受光する受光部２４が設けられている。
【００２４】
この受光部２４からの受光信号，回転センサ（回転検知器）１２ｃからの回転信号，サーミスタ１４からの温度検出信号及びホール素子１８ａからの開度検出信号は制御回路（コントローラー、演算制御回路）２５に入力される。しかも、制御回路２５は、吸込ブロワ１２のファンモータ１２ｂ及び駆動モータ１６を駆動制御すると共に、セラミックヒータ１３を作動制御するようになっている。また、制御回路２５は、乾燥運転表示用発光体２０，涼風運転表示用発光体２１，暖房運転表示用発光体２２及び換気運転表示用発光体２３を発光制御するようになっている。
【００２５】
次に、この制御回路２５による制御を図７，図８のフローチャートに基づいて説明する。
【００２６】
利用者が空調装置本体７を運転操作する場合には、空調装置本体７に電源を供給して、制御回路２５を予め動作させておく。これにより制御回路２５は、図７のフローチャートに基づいて制御動作を開始させる。
ステップＳ１
そして、ステップＳ１において制御回路２５は、リモコン８からの赤外線信号の入力が受光部２４にあるか否かを判断し、リモコン８からの赤外線信号の入力が受光部２４にない場合にはループし、リモコン８からの赤外線信号の入力が受光部２４にある場合にはステップＳ２に移行する。
【００２７】
ここで、制御回路２５を予め動作させた状態のみではリモコン８からの赤外線信号の入力が受光部２４にないので、制御回路２５はループして待機状態となっている。
【００２８】
この待機状態において利用者が空調装置本体７を運転操作する場合、リモコン８を操作して乾燥運転モード，涼風運転モード，暖房運転モード，換気運転モードのいずれかを選択した後、この選択したモードの操作信号を赤外線信号にしてリモコン８から空調装置本体７の受光部２４に向けて送信し、この赤外線信号を受光部２４に受信させる。
【００２９】
この受信した赤外線信号による空調装置本体７の操作信号は制御回路２５に入力され、制御回路２５はリモコン８からの赤外線信号の入力が受光部２４にあるとしてステップＳ２に移行する。
ステップＳ２
このステップＳ２において制御回路２５は、入力される操作信号が乾燥運転モードのときに図９（ａ）の黒色で示したように乾燥運転表示用発光体（発光手段）２０を点灯させ、入力される操作信号が涼風運転モードのときに図９（ｂ）の黒色で示したように涼風運転表示用発光体（発光手段）２１を点灯させ、入力される操作信号が暖房運転モードのときに図９（ｃ）の黒色で示したように暖房運転表示用発光体（発光手段）２２を点灯させ、入力される操作信号が換気運転モードのときに図９（ｄ）の黒色で示したように換気運転表示用発光体（発光手段）２３を点灯させ、ステップＳ３に移行する。
ステップＳ３
このステップＳ３において制御回路２５は、ファンモータ１２ｂを駆動して吸込ブロワ１２を作動させ、吸込ブロワ１２により吸込口１０ａから循環風路１０内に浴室３内の空気の吸込運転を開始させる。
【００３０】
また、制御回路２５は、受光部２４から入力される操作信号のモードに対応して、空調装置本体７の吸込ブロワ１２以外の部分の運転制御をする。
【００３１】
即ち、制御回路２５は、入力される操作信号が乾燥運転モードのときに、駆動モータ１６を駆動制御して、換気風路１１の循環風路１０への開口端をダンパー１５により少し開くと共に、セラミックヒータ１３に通電して、このセラミックヒータ１３を発熱させる。これにより、循環風路１０内に吸い込まれた空気は、一部が換気風路１１を介して屋外に排気される一方、残りがセラミックヒータ１３で加熱されて温風となって吹出口１０ｂから浴室３内に吹き出される。
【００３２】
また、制御回路２５は、入力される操作信号が涼風運転モードのときに、駆動モータ１６を駆動制御して、換気風路１１の循環風路１０への開口端をダンパー１５により少し開くと共に、循環風路１０内に吸い込まれた空気の一部を換気風路１１から屋外に排気し、循環風路１０内に吸い込まれた空気の残りをセラミックヒータ１３で加熱することなく吹出口１０ｂから浴室３内に吹き出させる。
【００３３】
更に、制御回路２５は、入力される操作信号が暖房運転モードのときに、駆動モータ１６を駆動制御して、換気風路１１の循環風路１０への開口端をダンパー１５で閉成すると共に、セラミックヒータ１３に通電して、このセラミックヒータ１３を発熱させる。これにより、循環風路１０内に吸い込まれた空気は、セラミックヒータ１３で加熱されて温風となって吹出口１０ｂから浴室３内に吹き出される。
【００３４】
また、制御回路２５は、入力される操作信号が換気運転モードのときに、駆動モータ１６を駆動制御して、ダンパー１５を図２の破線の位置まで回動させることにより、循環風路１０の途中をダンパー１５で遮断して、循環風路１０の吸込側を換気風路１１に連通させる。これにより、循環風路１０内に吸い込まれた空気は、換気風路１１を介して屋外に排気される。
ステップＳ４
ここで、上述した赤外線信号には、空調装置本体７の駆動時間を決定するために、リモコン８により設定される切りタイマの信号が含まれる。
【００３５】
従って、このステップＳ４において制御回路２５は、空調装置本体７を駆動制御させてからの駆動時間が切りタイマの信号により設定された時間になったか否かを判断し、駆動時間が切りタイマの信号により設定された時間になっていない場合にステップＳ５に移行し、駆動時間が切りタイマの信号により設定された時間になった場合に空調装置本体７の運転を終了する。
ステップＳ５
このステップＳ５において制御回路２５は、空調装置本体７の運転停止操作の赤外線信号がリモコン８から受光部２４に入力されたか否かを判断し、入力されている場合に運転を終了し、入力されていない場合にステップＳ６に移行する。
ステップＳ６
このステップＳ６において制御回路２５は、空調装置本体７の各作動部が正常に作動しているか否かを判断し、正常に作動している場合にステップＳ４に戻り、空調装置本体７の作動部が正常に作動していない部分がある場合に図８のステップＳ７に移行する。
【００３６】
この図８のステップＳ７に移行する条件としては、次のようなものが考えられる。
【００３７】
例えば、一つの条件としては、セラミックヒータ１３の温度が設定温度より上昇したり、セラミックヒータ１３の制御ができない状態（例えばセラミックヒータ１３が作動しなくなったり）となったりしたのを、制御回路２５がサーミスタ１４の温度検出信号から判断した場合が考えられる。
【００３８】
また、他の条件としては、ファンモータ１２ｂが駆動しなかったり、ファンモータ１２ｂの回転制御ができなかったりした場合が考えられる。この状態は、回転センサ（回転検知器）１２ｃから出力される回転検出信号から判断できる。
【００３９】
更に他の条件としては、サーミスタ１４がセラミックヒータ１３の温度変化を正常に検出できなくなった場合が考えられる。
【００４０】
また、その他の条件としては、上述したように駆動モータ１６が正常に作動しない場合やダンパー１５の回動位置が各モードに応じた設定位置と異なる場合が考えられる。
【００４１】
例えば、駆動モータ１６に駆動パルスを供給したときに、ホール素子１８ａからのマグネット検出信号が変化しない場合である。即ち、ダンパー１５が換気風路１１の循環風路１０への開口端を閉成（全閉状態）している状態ではホール素子１８ａが駆動モータ１６側のマグネット１８に対向してマグネット１８を検出している。この状態から駆動モータ１６に駆動パルスを供給したときに、駆動モータ１６が駆動しない場合には、ホール素子１８ａからのマグネット検出信号が変化しない。この場合には駆動モータ１６が正常に作動していないと判断できる。
【００４２】
また、駆動モータ１６に駆動パルスを供給して、駆動モータ１６の出力軸１６ａを一回転させると、出力軸１６ａの円板１７に設けたマグネット１８が出力軸１６ａと一体に回転してホール素子１８ａから離反した後にホール素子１８ａに再び対向する。この一回転に要する時間Ｔは、図６Ａに示すように時間ｔ１においてホール素子１８ａのマグネット検出信号が無くなってから時間ｔ３において再びホール素子１８ａのマグネット検出信号が得られるまでの時間である。
【００４３】
一方、駆動モータ１６に駆動パルスを供給して、駆動モータ１６の出力軸１６ａを一回転させると、ダンパー１５が図示しないカム機構を介して出力軸１６ａの回転に連動して、ダンパー１５が図２の実線の位置から破線の位置まで移動した後に図２の実線の位置まで戻る往復動作をする。
【００４４】
これらの結果、マグネット１８が出力軸１６ａと一体に一回転するのに要する時間Ｔはダンパー１５が一往復するのに要する時間となるので、この時間Ｔを予め計測しておくことで、ダンパー１５の回動位置を知ることができる。この結果、運転モードや設定条件に応じて駆動モータ１６の駆動時間を制御することで、ダンパー１５による換気風路１１の開度を調整できる。
【００４５】
従って、駆動モータ１６が正常に作動している場合、或いは駆動モータ１６の出力軸１６ａをダンパー１５に連動させるカム機構が正常に動作している場合には、ホール素子１８ａが駆動モータ１６側のマグネット１８に対向してマグネット１８を検出している初期状態から、駆動モータ１６に駆動パルスを供給して駆動モータ１６の出力軸１６ａを一回転させたときに、マグネット検出信号がある状態からマグネット検出信がない状態を経て再びマグネット検出信が得られる。
【００４６】
しかし、ホール素子１８ａが駆動モータ１６側のマグネット１８に対向してマグネット１８を検出している初期状態から、駆動モータ１６に駆動パルスを供給して駆動モータ１６の出力軸１６ａを一回転させたときに、マグネット検出信号に変化が無い場合や、マグネット検出信号がある状態からマグネット検出信がない状態を経た後に再びマグネット検出信が得られない場合（ダンパー１５の回動位置が各モードに応じた設定位置と異なる場合）には、駆動モータ１６やカム機構が正常に動作していないと判断できる。
ステップＳ７
このステップＳ７において制御回路２５は、セラミックヒータ１３の温度が設定温度より上昇したり、セラミックヒータ１３の制御ができない状態（例えばセラミックヒータ１３が作動しなくなったり）となったりしたのを、サーミスタ１４の温度検出信号から判断した場合、図１０（ａ）の黒色で示したように乾燥運転表示用発光体（発光手段）２０を点滅させる。
【００４７】
また、制御回路２５は、ファンモータ１２ｂが駆動しなかったり、ファンモータ１２ｂの回転制御ができなかったりした場合、図１０（ｂ）の黒色で示したように涼風運転表示用発光体（発光手段）２１を点滅させる。
【００４８】
更に、制御回路２５は、サーミスタ１４がセラミックヒータ１３の温度変化を正常に検出できなくなった場合、図１０（ｃ）の黒色で示したように暖房運転表示用発光体（発光手段）２２を点滅させる。
【００４９】
また、制御回路２５は、上述したように駆動モータ１６が正常に作動しない場合やダンパー１５の回動位置が各モードに応じた設定位置と異なる場合、図１０（ｄ）の黒色で示したように換気運転表示用発光体（発光手段）２３を点滅させる。
ステップＳ８
このステップＳ８において制御回路２５は、ステップＳ３における運転を停止して、ステップＳ９に移行する。
ステップＳ９
このステップＳ９において制御回路２５は、操作信号や切りタイマ等をリセットするリセット信号がリモコン８から送信されて、このリセット信号が受光部２４で受信されたか否かを判断する。そして、リセット信号が受光部２４で受信されている場合にはステップＳ１０に移行し、又、リセット信号が受光部２４で受信されていない場合にはステップループする。
ステップＳ１０
このステップＳ１０において制御回路２５は、操作信号や切りタイマ等をリセットして、図７のステップＳ１に移行する。
（表示の変形例）
以上説明した実施例では４つの運転モードに対応した発光体２０〜２３を本体ケース９の正面９ａに設けた例を示したが、必ずしもこれに限定されるものではない。
【００５０】
例えば、図１１に示したように、本体ケース９の正面９ａにカラー表示可能な一つの運転状態表示部２６を発光表示部として設けて、この運転状態表示部２６の発光表示色を各運転モードに応じて変化させるようにしても良い。
【００５１】
即ち、制御回路２５は、乾燥運転モードのときには運転状態表示部２６の発光表示色をオレンジ色にし、涼風運転モードのときには運転状態表示部２６の発光表示色を水色（ブルー）にし、暖房運転モードのときには運転状態表示部２６の発光表示色を赤色にし、換気運転モードのときには運転状態表示部２６の発光表示色を緑色にする。
【００５２】
ここで、図１１（ａ）の斜線の状態は運転状態表示部２６の発光表示色がオレンジ色であることを意味し、図１１（ｂ）の交差斜線の状態は運転状態表示部２６の発光表示色が水色（ブルー）であることを意味し、図１１（ｃ）の多数点の状態は運転状態表示部２６の発光表示色が赤色であることを意味し、図１１（ｄ）の多数点と斜線の組み合わせ状態は運転状態表示部２６の発光表示色が緑色であることを意味する。
【００５３】
また、制御回路２５は、セラミックヒータ１３の温度が設定温度より上昇したり、セラミックヒータ１３の制御ができない状態（例えばセラミックヒータ１３が作動しなくなったり）となったりしたのを、サーミスタ１４の温度検出信号から判断した場合、運転状態表示部２６をオレンジ色で点滅させるようになっている。
【００５４】
更に、制御回路２５は、ファンモータ１２ｂが駆動しなかったり、ファンモータ１２ｂの回転制御ができなかったりした場合、運転状態表示部２６を水色（ブルー）で点滅させるようになっている。
【００５５】
また、制御回路２５は、サーミスタ１４がセラミックヒータ１３の温度変化を正常に検出できなくなった場合、運転状態表示部２６を赤色で点滅させるようになっている。
【００５６】
また、制御回路２５は、上述したように駆動モータ１６が正常に作動しない場合やダンパー１５の回動位置が各モードに応じた設定位置と異なる場合、運転状態表示部２６を緑色で点滅させるようになっている。
【００５７】
ここで、図１２（ａ）の運転状態表示部２６の上に３本の線２６ａを付加した状態は運転状態表示部２６がオレンジ色で点滅していることを意味し、図１２（ｂ）の運転状態表示部２６の上に３本の線２６ａを付加した状態は運転状態表示部２６が水色（ブルー）で点滅していることを意味し、図１２（ｃ）の運転状態表示部２６の上に３本の線２６ａを付加した状態は運転状態表示部２６が赤色で点滅していることを意味し、図１２（ｄ）の運転状態表示部２６の上に３本の線２６ａを付加した状態は運転状態表示部２６が緑色で点滅していることを意味する。
【００５８】
尚、カラー表示可能な運転状態表示部２６には、例えば複数のＬＥＤ等を用いたカラー表示パネルを用いることができる。更に、運転状態表示部２６は、カラー液晶（LCD）パネルであってもよい。
（空調装置本体の表示以外の変形例）
更に、上述した例の浴室３の空調装置はダンパーにより換気風路と循環風路を切り換える構造であったが、ダンパーを用いずに循環用ファンと換気用ファンを別々に設けるような空調装置に上述した表示構造を適用しても良い。また、換気用ファンを有せずに、循環用ファンで浴室内の空気の循環及び加熱を行う循環ユニットのみの暖房装置（空調装置）に上述した表示構造を適用しても良い。
【００５９】
また、暖房モードには、温風による暖房を入浴前に浴室内を暖める予備運転モードと、図示しないカーボンランプやハロゲンヒータ等を用いた輻射式ヒータを用いた入浴暖房モードを設けても良い。
【００６０】
また、空調装置は、浴室内に設置する浴室空調装置としたが、洗面所内に設置する洗面所暖房機（空調装置）であっても良く、浴室、洗面所、トイレ等のサニタリー空間に設置するものであってもよい。
【００６１】
以上説明したように、この発明の実施の形態の空調装置は、リモコン８により、空調装置本体７の制御回路２５に操作信号を入力して、前記空調装置本体７を運転操作するようにしている。しかも、前記空調装置本体７の外表面に運転状態表示部（１９，２６）を設けて、前記制御回路２５により、前記制御回路２５により前記空調装置本体７の運転モードなどの運転状態や誤動作を前記運転状態表示部（１９，２６）に表示させるようにしている。
【００６２】
この構成によれば、空調装置本体７の運転状態表示部（１９，２６）を見ることで空調装置７の運転状態を容易に確認できる。しかも、発光表示部（運転状態表示部１９，２６）は誤動作の表示も兼用しているので、空調装置本体７の運転モードや誤動作によるエラー発生の表示のための部品点数を少なくできる。
【００６３】
また、この発明の実施の形態の空調装置において、前記運転状態表示部は発光して表示する発光表示部（１９，２６）からなり、該発光表示部（１９，２６）は前記制御回路２５により複数の発光表示形態で発光制御可能に設けられ、且つ前記制御回路２５は前記空調装置本体７の複数の運転モード、誤動作状態に応じて前記発光表示部（１９，２６）を異ならせて発光表示させるようになっている。
【００６４】
この構成によれば、空調装置本体７の発光表示部（１９，２６）の発光状態を見ることで運転状態や誤動作を容易に確認できると共に、空調装置本体７の運転モードや誤動作によるエラー発生の表示のための部品点数を少なくできる他に、簡単な構成で空調装置本体７の運転状態や誤動作を報知できる。
[リモコンの変形例等]
以上説明した実施例では、空調装置本体７の操作を行うワイヤレスのリモコン８については詳述しなかったが、空調装置本体及びその操作手段（リモコン）として以下に説明するような構成を採用することができる。尚、以下に説明する例では、空調装置本体に上述した運転状態表示部を設けていない例を示しているが、空調装置本体に上述した運転状態表示部を設けても良いことは勿論であるし、以下に説明するリモコンで上述した空調装置本体７の運転操作をするようにしても良い。
【００６５】
図１３（ａ）において、１０１は住宅等の建物、１０２は建物１０１内の居室、１０３は建物１０１内の浴室、１０４は居室１０２と浴室１０３との間に設けられた脱衣室（洗面所）、１０５は浴室１０３と脱衣室１０４とを区画する仕切壁、１０６は浴室１０３内に設けられた浴槽、１０７は浴室１０４の外壁、１０８は浴室換気乾燥暖房機（空調装置）である。
【００６６】
この浴室換気乾燥暖房機１０８は、外壁１０７に装着された空調装置本体１０９と、空調装置本体１０９のリモコンシステム（リモコン装置）１１０を有する。
（空調装置本体１０９）
この空調装置本体１０９は、図１４に示したように、外壁１０７に取り付けられた本体ケース１１１を有する。この本体ケース１１１には、内部に形成された循環風路１１２と、本体ケース１１１の正面（外表面）１１１ａに開口する循環風路１１２の吸込口１１２ａ及び吹出口１１２ｂと、この循環風路１１２の途中に連通し且つ屋外に開口する換気風路１１３を有する。
【００６７】
更に、空調装置本体１０９は、浴室１０３内の空気を吸込口１１２ａから吸い込ませる吸込ブロワ１１４と、吹出口１１２ｂ内に設けられたセラミックヒータ（ヒータ、加熱手段）１１５と、セラミックヒータ１１５の温度を検出するサーミスタ（温度センサ、温度検出手段）１１６を有する。この吸込ブロワ１１４は、ファン１１４ａと、ファン１１４ａを回転駆動するファンモータ１１４ｂを有する。
【００６８】
また、空調装置本体１０９は、循環風路１１２と換気風路１１３の分岐部において本体ケース１１１に回動可能に取り付けられたダンパー１１７を有する。１１７ａはダンパー１１７の回動軸である。このダンパー１１７は、パルスモータ等の駆動モータ（電動駆動手段）１１８に図示しないカム機構を介して連動している。この駆動モータ１１８は、一方向に回転駆動されるようになっている。
【００６９】
しかも、カム機構は、駆動モータ１１８の出力軸が１回転する毎に、ダンパー１１７が図１４の実線の位置（換気風路１１３の循環風路１１２への開口端を閉成する位置）と破線の位置（換気風路１１３を開口し且つ循環風路１１２の途中を遮断する位置）との間を往復回動するように、駆動モータ１１８とダンパー１１７を連動させるようになっている。
【００７０】
更に、本体ケース１１１の正面１１１ａには赤外線受信部（操作信号受信手段）１１９が設けられている。この赤外線受信部１１９で受信した赤外線信号（操作信号）及びサーミスタ１１６から出力される温度検出信号は図１５の制御回路１２０に入力される。また、この制御回路１２０は、ファンモータ１１４ｂ及び駆動モータ１１８を駆動制御すると共に、セラミックヒータ１１５を作動制御するようになっている。
（リモコンシステム１１０）
また、リモコンシステム１１０は、図１３（ｂ），図１６に示した空調装置本体１０９の操作をするワイヤレスのリモコン１２１と、このリモコン１２１の不使用時にリモコン１２１を保持するホルダ１２２を有する。このホルダ１２２は、脱衣室１０４内に配設されていると共に、仕切壁１０５の脱衣室１０４側の壁面に取り付けられている。
＜リモコン１２１＞
このリモコン１２１は、図１６に示したリモコン本体１２３と、このリモコン本体１２３内に内蔵された二次電池１２４と、リモコン本体１２３の底部に設けられ且つ二次電池１２４に接続された電池側充電端子（リモコン側充電端子）１２５，１２５を備えている。
【００７１】
また、リモコン本体１２３内には、図１６，図１７に示したように二次電池１２４からの電力供給を受けて動作する演算制御回路１２６と、演算制御回路１２６からの操作信号を送信する送信回路１２７と、送信回路１２７からの操作信号を赤外線信号として送信する赤外発光ダイオード（赤外発光ＬＥＤ）等の赤外線送信部１２８を有する。
【００７２】
更に、リモコン本体１２３には操作パネル１２９が設けられている。この操作パネル１２９には、切／入スイッチ１３０，乾燥モードスイッチ１３１，涼風モードスイッチ１３２，暖房モードスイッチ１３３，換気モードスイッチ１３４，２４時間換気モードスイッチ１３５，切りタイマースイッチ１３６，入時刻スイッチ１３７，液晶表示器１３８が設けられている。
【００７３】
この各スイッチ１３０〜１３７からの操作信号は演算制御回路１２６に入力されるようになっている。また、演算制御回路１２６は、液晶表示器１３８を作動制御して、液晶表示器１３８に時刻等を表示させる。
【００７４】
また、操作パネル１２９には、乾燥運転表示するＬＥＤ１３１ａ，涼風運転表示するＬＥＤ１３２ａ，暖房運転表示するＬＥＤ１３３ａ，換気運転表示するＬＥＤ１３４ａ，２４時間換気運転を表示するＬＥＤ１３５ａ等が設けられている。このＬＥＤ１３１ａ，１３２ａ，１３３ａ，１３４ａ，１３５ａは演算制御回路１２６により点灯制御されるようになっている。
【００７５】
尚、図１７では、図示の便宜上、操作パネル１２９が各スイッチ１３０〜１３７，液晶表示器１３８及びＬＥＤ１３１ａ，１３２ａ，１３３ａ，１３４ａ，１３５ａを代表している。
＜ホルダ１２２＞
また、図１６に示したようにホルダ１２２は、リモコン本体１２３を嵌合保持させる嵌合凹部１３９を有すると共に、嵌合凹部１３９の底部１３９ａに設けられたホルダ側充電端子１４０，１４０を有する。
【００７６】
しかも、ホルダ１２２にはホルダ側充電端子１４０，１４０に接続された充電回路１４１が内蔵され、この充電回路１４１には電源コード１４２が接続され、電源コード１４２の自由端にはプラグ１４３が設けられている。このプラグ１４３を建物１内の商用電源のコンセント（図示せず）に差し込むことにより、ホルダ側充電端子１４０，１４０は商用電源に接続されている。
【００７７】
次に、このような構成の浴室換気乾燥暖房機（空調装置）１０８の作用を説明する。
【００７８】
リモコン１２１の二次電池１２４は、演算制御回路１２６に電力を供給して、演算制御回路１２６を作動させている。そして、演算制御回路１２６は、リモコン１２１の乾燥モードスイッチ１３１，涼風モードスイッチ１３２，暖房モードスイッチ１３３，換気モードスイッチ１３４，２４時間換気モードスイッチ１３５等のいずれかが押されると、ＬＥＤ１３１ａ，１３２ａ，１３３ａ，１３４ａ，１３５ａのうち押されたスイッチに対応する運転モードのものを点灯させると共に、押されたスイッチに対応する運転モードの操作信号を送信回路１２７に出力する。この送信回路１２７は、赤外送信部１２８から操作信号を赤外線信号として送信する。
【００７９】
一方、空調装置本体１０９の赤外線受光部１１９がリモコン１２１からの赤外線信号（操作信号）を受信すると、リモコン１２１で選択された運転モードの操作信号が赤外線受光部１１９から制御回路１２０に入力され、制御回路１２０は入力された運転モードで空調装置本体１０９の各部の作動を制御する。
【００８０】
この際、制御回路１２０は、ファンモータ１１４ｂを駆動して吸込ブロワ１１４を作動させ、吸込ブロワ１１４により吸込口１１２ａから循環風路１１２内に浴室１０３内の空気の吸込運転を開始させる。また、制御回路１２０は、赤外線受光部１１９から入力される操作信号の運転モードに対応して、空調装置本体１０９の吸込ブロワ１１４以外の部分の運転制御をする。
【００８１】
即ち、制御回路１２０は、入力される操作信号が乾燥運転モードのときに、駆動モータ１１８を駆動制御して、換気風路１１３の循環風路１１２への開口端をダンパー１１７により少し開くと共に、セラミックヒータ１１５に通電して、このセラミックヒータ１１５を発熱させる。これにより、循環風路１１２内に吸い込まれた空気は、一部が換気風路１１３を介して屋外に排気される一方、残りがセラミックヒータ１１５で加熱されて温風となって吹出口１１２ｂから浴室１０３内に吹き出される。
【００８２】
また、制御回路１２０は、入力される操作信号が涼風運転モードのときに、駆動モータ１１８を駆動制御して、換気風路１１３の循環風路１１０への開口端をダンパー１１７により少し開くと共に、循環風路１１２内に吸い込まれた空気の一部を換気風路１１３から屋外に排気し、循環風路１１２内に吸い込まれた空気の残りをセラミックヒータ１１５で加熱することなく吹出口１１２ｂから浴室１０３内に吹き出させる。
【００８３】
更に、制御回路１２０は、入力される操作信号が暖房運転モードのときに、駆動モータ１１８を駆動制御して、換気風路１１３の循環風路１１２への開口端をダンパー１１７で閉成すると共に、セラミックヒータ１１５に通電して、このセラミックヒータ１１５を発熱させる。これにより、循環風路１１２内に吸い込まれた空気は、セラミックヒータ１１５で加熱されて温風となって吹出口１１２ｂから浴室１０３内に吹き出される。
【００８４】
また、制御回路１２０は、入力される操作信号が換気運転モード又は２４時間換気運転モードのときに、駆動モータ１１８を駆動制御して、ダンパー１１７を図１４の破線の位置まで回動させることにより、循環風路１１２の途中をダンパー１１７で遮断して、循環風路１１２の吸込側を換気風路１１３に連通させる。これにより、循環風路１１２内に吸い込まれた空気は、換気風路１１３を介して屋外に排気される。
【００８５】
ところで、このような空調装置本体１０９の運転操作に用いられるリモコン１２１の不使用時には、リモコン１２１を図１３（ｂ），図１６の如くホルダ１３９の嵌合凹部１３９内に挿入して、電池側充電端子１２５，１２５をホルダ側充電端子１４０，１４０に接触させる。これにより充電回路１４１は、充電端子１４０，１４０及び１２５，１２５を介して二次電池１２４の充電を実行する。
【００８６】
このような空調装置においては、ワイヤード（有線式）リモコンの場合のようなコントローラから空調装置本体までの通信線の配線作業が不要であり、電池の交換作業も必要なくなる。更に、浴室、脱衣所等に設置される空調装置では、一般的に空調装置本体に電源スイッチが設けられておらず、運転モードの切り換えを行う操作スイッチが設けられていない。そのような場合には、空調運転を行いたい場合にリモコンの電池が消耗して容量がなくなっていると、運転の開始や運転モードの切り換えが行えないという問題がある。しかし、リモコンに二次電池を設けて、不使用時にホルダに保持させたときに二次電池に充電するように構成することにより、空調装置本体に電源スイッチや運転モードの切り換えを行う操作スイッチが設けられていない場合においても、リモコンの電池が消耗して容量がなくなっているために、運転の開始や運転モードの切り換えが行えず、特に冬場等で寒さを感じるということはなくなり、いつでも使用者のニーズに即した暖房等の空調運転を行うことができる。
（変形例１）
上述した実施例では、空調装置本体１０９を浴室１０３内に設け、リモコン１２１を脱衣室（洗面所）１０４に設けた例を示したが、必ずしもこれに限定されるものではない。例えば、空調装置本体１０９は、浴室１０３に限らず、脱衣所やトイレ等のサニタリー空間に設置することもできるし、サニタリー空間以外の室に設置することもできる。また、リモコン１２１も脱衣室（洗面所）１０４以外の場所、浴室１０３やトイレ等のサニタリー空間やこれ以外の室に設置することもできる。要は、空調装置本体１０９が設置された室又はその近傍の室にリモコン１２１を配置することで、空調装置本体１０９の操作性が良くなっていればよい。
（変形例２）
また、上述した実施例ではダンパー１１７を用いて循環風路１１２と換気風路１１３とを切り換える構造としたが、必ずしもこれに限定されるものではない。
【００８７】
例えば、循環ファンと換気ファンをそれぞれ別々に設けた空調装置にリモコンシステム１１０を適用しても良い。
【００８８】
更に、換気手段を有せず、循環手段のみが設けられた暖房装置（空調装置）にリモコンシステム１１０を適用しても良い。また、換気手段のみを有し、暖房装置を有しない換気装置（空調装置）にリモコンシステム１１０を適用しても良い。
【００８９】
また、換気手段を用いた換気装置（空調装置）と循環手段を用いた暖房装置（空調装置）を別々に設けて、この換気装置と暖房装置を電気的に連動するようにした空調装置にリモコンシステム１１０を適用しても良い。
（変形例３）
更に、リモコンシステム１１０は、洗面所用空調装置に適用することも可能であり、洗面所用空調装置と浴室用空調装置の双方若しくはいずれかに用いることもできる。
（変形例４）
また、空調装置本体１０９は浴室１０３の外壁１０７内面に取り付けているが、必ずしもこれに限定されるものではない。例えば、浴室１０３の壁に埋め込むタイプの空調装置や、天井に設置する空調装置にリモコンシステム１１０を適用してもよい。
（変形例５）
また、リモコンシステム１１０には赤外線式のリモコン１２１を用いたが、必ずしもこれに限定されるものではない。リモコンシステム１１０には、無線式のリモコンであれば、赤外線でなく、電波式のリモコンを用いることができる。
（変形例６）
また、上述した実施例においては、リモコンシステム１１０を浴室１０３の外の脱衣室（洗面所）１０４内に設置してた例を示したが、必ずしもこれに限定されるものではない。例えば、リモコンシステム１１０は、防水構造とすることで浴室１０３内に設置することもできる。
【００９０】
例えば、嵌合凹部１３９を囲むような一次コイルをホルダ１２２内に埋設すると共に、リモコン１２１をホルダ１２２の嵌合凹部１３９内に嵌合（挿入）したときに、ホルダ１２２の一次コイルに対応する充電用の二次コイルをリモコン１２２内に設けておく。これにより、リモコン１２１やホルダ２２に露出する充電用の端子を設ける必要がないので、簡易に防水構造とすることができる。そして、二次コイルを整流回路及び充電回路を介して二次電池１２４に接続しておくことで、一次コイルから二次コイルに供給される電流を整流回路及び充電回路を介して二次電池１２４に供給して、二次電池１２４を充電できる。
【００９１】
また、リモコン１２１がホルダ１２２の嵌合凹部１３９に嵌合装着されたのを検出するリモコンセンサ（例えば近接スイッチや光電センサ等）をホルダ１２２内に設けて、リモコン１２１が嵌合凹部１３９内に嵌合されたのをリモコンセンサが検出したときに、ホルダ１２２の一次コイルに充電用の交流電圧を印加してリモコン１２１の二次コイルに通電して、二次電池１２４を充電するようにしてもよい。
（変形例７）
また、浴室１０３及び脱衣室１０４にそれぞれ空調装置（空調装置本体）を設置して、この二つの空調装置を一つのリモコン１２１により切換操作するようにしても良い。この場合、浴室１０３の空調装置（空調装置本体）を操作する浴室空調モード、及び脱衣室１０４の空調装置（空調装置本体）を操作する脱衣室空調モードをリモコン１２１の制御回路１２０のプログラムに設けておくと共に、この浴室空調モードと脱衣室空調モードを切り換える切換スイッチをリモコン１２１に設けておいて、この切換スイッチにより浴室空調モードと脱衣室空調モードを切り換えて浴室１０３と脱衣室１０４に設けられる空調装置を切換運転するようにしても良い。
【００９２】
なお、切換スイッチに代えて浴室空調モード用のボタンと脱衣室空調モード用のボタンを別々にリモコン１２１に設けても良い。
（変形例８）
また、リモコン１２１とホルダ１２２とを短い紐や鎖等の紐状体で連結しておいて、リモコン１２１を誤って落としても、リモコン１２１が床面等に衝突して破損するのを未然に防止できるようにしておいても良い。
（変形例９）
図１８〜図２１は、この発明の変形例を示したものである。この図１８〜図２１において、１５０は図１３の浴室１０３の外壁１０７に取り付けられる空調装置本体である。
【００９３】
この空調装置本体１５０には、図１９に示した循環用ファン１５１及び換気用ファン１５２と、図２０，図２１に示した輻射暖房ユニッ１ト５３が設けられている。
【００９４】
そして、循環用ファン１５１は、浴室１０３内の空気を吸込口１５１ａから吸い込んで吹出口１５１ｂから浴室１０３内に吹き出すようになっている。尚、図２１に示したように吹出口１５１ｂへの風路１５１ｃ内にはヒータ１５１ｄが設けられていていて、このヒータ１５１ｄは循環用ファン１５１から送風される空気を加熱して暖めることができるようになっている。
【００９５】
また、換気用ファン１５２は、図１９に矢印１５２ｂで示したように浴室１０３内の空気を吸込口１５２ａから吸い込んで屋外に排気させるようになっている。
【００９６】
しかも、輻射暖房ユニット１５３には、カーボンランプ，シーズヒータ，ハロゲンヒータ等の遠赤外線による熱発生手段が用いられている。そして、この輻射暖房ユニット１５３は、熱線を空調装置本体１５０の開口１５０ａから浴室１０３に輻射するようになっている。
【００９７】
このような空調装置本体１５０の循環用ファン１５１，換気用ファン１５２及び輻射暖房ユニット１５３等を上述したリモコンシステム１１０のリモコン１２１により制御するようにしている。尚、リモコン１２１からの操作信号を受信する構成の図示は省略しているが、この構成には上述したものと同じものを用いることができる。
【００９８】
以上説明したように、この発明の実施の形態のリモコン１２１は、充電手段を有する二次電池１２４を内蔵している。この充電手段としては、ホルダ１２２に設けた充電回路１４１を採用しても良いし、変形例６の一次コイル，二次コイルを用いた構成を採用することもできる。そして、このリモコン１２１を上述した空調装置本体７の操作に用いることができる。しかも、前記空調装置本体７は室内の空気を換気する換気手段、室内の空気を循環させる循環手段の少なくともいずれかを有していれば良い。
【００９９】
この構成によれば、空調装置本体の運転状態表示部を見ることで空調装置本体の運転状態を容易に確認できると共に、空調装置本体の運転モードや誤動作によるエラー発生の表示のための部品点数を少なくできる他に、電池の交換が必要なく、ランニングコストもかからず、環境面からも好ましいリモコンを用いた空調装置を提供することができる。
【０１００】
また、この発明の実施の形態のリモコン１２１は、空調装置本体９を操作するワイヤレスのリモコン本体１２３に二次電池１２４が内蔵され、前記リモコン本体１２３に前記二次電池１２４の充電端子（電池側充電端子１２５，１２５）が設けられている構成となっている。
【０１０１】
この構成によれば、電池の交換が必要なく、電池のランニングコストもかからず、環境面からも好ましい空調用リモコンを提供することができる。
【０１０２】
また、この発明の実施の形態の空調用リモコンシステム１１０は、空調装置本体１０９を操作するワイヤレスのリモコン本体１２３に二次電池１２４が内蔵され、前記リモコン本体１２３に前記二次電池１２４の電池側充電端子１２５，１２５が設けられていると共に、前記リモコン本体１２３を不使用時に嵌合保持するホルダ１２２が設けられ、前記ホルダ１２２に前記リモコン本体１２３を嵌合保持させたときに前記電池側充電端子１２５，１２５に接続されるホルダ側充電端子１４０，１４０が設けられ、前記ホルダ側充電端子１４０，１４０は商用電源に接続されている構成となっている。
【０１０３】
この構成によれば、電池の交換が必要なく、使用者がいつでも利用できる使い勝手の良いリモコンを用いた空調装置を提供することができる。しかも、不使用時にリモコン本体１２３をホルダ１２２に保持させておくだけで、リモコン本体１２３内の二次電池１２４に自動的に充電できる。
【０１０４】
更に、この発明の実施の形態の空調装置（浴室換気乾燥暖房機１０８）は、室（浴室１０３）内の空気を換気する換気手段（換気風路１１３）、室（浴室１０３）内の空気を循環させる循環手段（循環風路１１０，吸込ブロワ１１４）の少なくともいずれかが設けられた空調装置本体１０９と、前記空調装置本体１０９を操作するための空調用リモコンシステム１１０を備えている。
【０１０５】
この構成によれば、電池の交換が必要なく、使用者がいつでも利用できる使い勝手の良いリモコンを用いた空調装置を提供することができる。
【図面の簡単な説明】
【０１０６】
【図１】この発明に係る空調装置を備える建物の概略説明図である。
【図２】図１の空調装置本体の一例を示す概略構造説明図である。
【図３】図２のダンパー駆動用の駆動モータの説明図である。
【図４】図３の円板の右側面である。
【図５】図２の本体ケースの正面図である。
【図６】図２の空調装置本体の制御回路図である。
【図６Ａ】図２のダンパーの開閉状態を説明するタイムチャートである。
【図７】図２の空調装置本体の運転状態を説明するフローチャートである。
【図８】図２の空調装置本体の運転状態を説明するフローチャートである。
【図９】（ａ）〜（ｄ）は図５の運転状態表示部の発光状態の説明図である。
【図１０】（ａ）〜（ｄ）は図５の運転状態表示部の発光状態の他の例を示す説明図である。
【図１１】（ａ）〜（ｄ）は運転状態表示部の他の例及びその発光状態の説明図である。
【図１２】（ａ）〜（ｄ）は図１１の運転状態表示部の他の例の説明図である。
【図１３】（ａ）はこの発明に係る空調装置を備える建物の概略説明図、（ｂ）は（ａ）の要部拡大図である。
【図１４】図１３（ａ）の空調装置本体の説明図である。
【図１５】図１４の空調装置本体の制御回路図である。
【図１６】図１３（ｂ）のリモコンシステムの断面図である。
【図１７】図１６のリモコンの制御回路図である。
【図１８】この発明の他の例を示す空調装置本体の正面図である。
【図１９】図１８のＡ１−Ａ１線に沿う断面図である。
【図２０】図１９のＡ２−Ａ２線に沿う断面図である。
【図２１】図１９のＡ３−Ａ３線に沿う断面図である。
【符号の説明】
【０１０７】
７…空調装置本体
８…リモコン
９…本体ケース
９ａ…正面（外表面）
１９…運転状態表示部（発光表示部）
２５…制御回路
２６…運転状態表示部（発光表示部）
１２１…リモコン
【図１】
2006153337.tif 000003
【図２】
2006153337.tif 000004
【図３】
2006153337.tif 000005
【図４】
2006153337.tif 000006
【図５】
2006153337.tif 000007
【図６】
2006153337.tif 000008
【図６Ａ】
2006153337.tif 000009
【図７】
2006153337.tif 000010
【図８】
2006153337.tif 000011
【図９】
2006153337.tif 000012
【図１０】
2006153337.tif 000013
【図１１】
2006153337.tif 000014
【図１２】
2006153337.tif 000015
【図１３】
2006153337.tif 000016
【図１４】
2006153337.tif 000017
【図１５】
2006153337.tif 000018
【図１６】
2006153337.tif 000019
【図１７】
2006153337.tif 000020
【図１８】
2006153337.tif 000021
【図１９】
2006153337.tif 000022
【図２０】
2006153337.tif 000023
【図２１】
2006153337.tif 000024